(57)【要約】【課題】押込む方向の力と引抜く方向の力の両方向の力に対して抵抗可能なうえに、既存の防水性能を低下させることのない防水支持構造を提供する。【解決手段】上面が防水シート１１で覆われた屋根１上に太陽光発電装置６を設置する際に設けられる防水支持構造である。そして、防水シートの上方に設置されるベース板２１と、ベース板の上面に接合されるボルト材２２と、ベース板の下面側に上端面が配置されるように構造板１２まで打ち込まれる第１ビス３１と、ベース板の上面側に頭部が引っ掛かるように構造板まで打ち込まれる第２ビス３２と、ベース板の上面側を覆うとともに縁部が防水シートの上に重ねられる補強シート５とを備えている。【選択図】図１
2014152548.tif 000002
【特許請求の範囲】
【請求項１】
上面が防水処理層で覆われた構造物上に被支持物を設置する際に設けられる防水支持構造であって、
前記防水処理層の上方に設置されるベース板と、
前記被支持物を接続させるために前記ベース板の上面に接合される接続材と、
前記ベース板の下面側に上端面が配置されるように前記構造物の本体まで打ち込まれる押込み側支持材と、
前記ベース板の上面側に頭部が引っ掛かるように前記構造物の本体まで打ち込まれる引抜き側支持材と、
前記ベース板の上面側を覆うとともに縁部が前記防水処理層の上に重ねられる遮水シート材とを備えたことを特徴とする防水支持構造。
【請求項２】
前記ベース板は、合成樹脂材によって被覆されていることを特徴とする請求項１に記載の防水支持構造。
【請求項３】
前記ベース板と前記防水処理層との間に介在される座板を備えるとともに、前記座板には前記押込み側支持材及び引抜き側支持材を挿通させる穴が穿孔されていることを特徴とする請求項１又は２に記載の防水支持構造。
【請求項４】
前記座板の略中央には、位置決めに利用される貫通穴が穿孔されていることを特徴とする請求項３に記載の防水支持構造。
【請求項５】
前記構造物の本体と前記防水処理層との間には軟質層が介在されており、前記押込み側支持材及び引抜き側支持材の先端が前記本体に埋設されることを特徴とする請求項１乃至４のいずれか一項に記載の防水支持構造。
【請求項６】
円板状のベース板と、
前記ベース板の上面の中央に下端面が接合されるボルト材と、
前記ベース板の下面側に配置される押込み側支持材と、
前記ベース板の穴に挿通されて頭部が上面側に引っ掛かる形状の引抜き側支持材とを備えたことを特徴とする支持アンカー。
【請求項７】
前記ベース板の下に介在させる中央に貫通穴が穿孔された座板を備えるとともに、前記座板には前記貫通穴に対して対称となる位置に前記押込み側支持材を挿通させる対となる第１穴と前記引抜き側支持材を挿通させる対となる第２穴とがそれぞれ穿孔され、第１穴と第２穴は前記貫通穴の周りに交互に配置されていることを特徴とする請求項６に記載の支持アンカー。
【発明の詳細な説明】
【技術分野】
【０００１】
本発明は、上面が防水シートなどの防水処理層で覆われた屋根やバルコニーなどの構造物上に、太陽光発電装置や手摺などを設置する際に使用される防水支持構造、及びそれに使用される支持アンカーに関するものである。
【背景技術】
【０００２】
防水シートが敷設された屋根の上などに太陽光発電装置などを設置するための固定具や支持構造が知られている（特許文献１−４など参照）。ここで、防水シートは、太陽光発電装置などを設置する前に敷設されているため、固定具などを取り付ける場合は、防水性能が低下しないように処理する必要がある（特許文献１参照）。
【０００３】
特許文献２，３の他物固定具には、防水シート上に設置される硬質合成樹脂製の固定本体にビスを通すための貫通穴が設けられている。この貫通穴から、防水シートを突き抜くように釘などが打ち込まれるが、キャップで塞ぐことができるので雨水の浸入を防ぐことができる。
【０００４】
この他物固定具では、太陽光発電装置から受ける荷重は、固定本体の底面から直接、防水シートに伝達される。そこで、固定本体の周縁に可撓性を有する鍔状部を設けて防水シート上に重ねる構成とし、防水シートの変形を弾性的に抑制させることによって耐久性の低下を防いでいる。
【０００５】
一方、特許文献４には、防水シートの下に柔らかい断熱材が敷かれている場合でも、重量のある積載物の脚を置けるようにした支持構造が開示されている。この支持構造では、断熱材の下の屋根下地材まで複数のビスを打ち込み、そのビスの頭に板材を載せてパッチシートで板材とその周囲の防水シート上面を覆う構成としている。
【０００６】
このような構成にすることで、パッチシートの上から板材に積載物の脚を載せても、その荷重は断熱材を通過して屋根下地材に伝達されることになるため、防水シートが沈み込むことを防ぐことができる。
【先行技術文献】
【特許文献】
【０００７】
【特許文献１】実用新案登録第３１６３７５８号公報
【特許文献２】特開２００５−２２０６５８号公報
【特許文献３】特開２０１２−５７３７４号公報
【特許文献４】特開２０１１−２３１５９７号公報
【発明の概要】
【発明が解決しようとする課題】
【０００８】
しかしながら、特許文献１−３に開示された防水構造又は他物固定具では、柔軟な防水シート自体に厚みがあったり、防水シートの下に変形しやすい断熱材が敷かれていたりすると、他物固定具などを介して伝達される積載物の重みで防水シートの表面に窪みができてしまう。このような防水シートの表面の窪みは、防水シートを破損させる原因になるうえに、水溜りができるなどの問題がある。
【０００９】
これに対して特許文献４の支持構造では、防水シートの沈み込みは起きないが、風や地震で積載物が移動したり転倒したりしないようにワイヤーで別途、係留させる必要がある。
【００１０】
そこで、本発明は、押込む方向の力と引抜く方向の力の両方向の力に対して抵抗可能なうえに、既存の防水性能を低下させることのない防水支持構造及び支持アンカーを提供することを目的としている。
【課題を解決するための手段】
【００１１】
前記目的を達成するために、本発明の防水支持構造は、上面が防水処理層で覆われた構造物上に被支持物を設置する際に設けられる防水支持構造であって、前記防水処理層の上方に設置されるベース板と、前記被支持物を接続させるために前記ベース板の上面に接合される接続材と、前記ベース板の下面側に上端面が配置されるように前記構造物の本体まで打ち込まれる押込み側支持材と、前記ベース板の上面側に頭部が引っ掛かるように前記構造物の本体まで打ち込まれる引抜き側支持材と、前記ベース板の上面側を覆うとともに縁部が前記防水処理層の上に重ねられる遮水シート材とを備えたことを特徴とする。ここで、前記ベース板は、合成樹脂材によって被覆されている構成であることが好ましい。
【００１２】
また、前記ベース板と前記防水処理層との間に介在される座板を備えるとともに、前記座板には前記押込み側支持材及び引抜き側支持材を挿通させる穴が穿孔されている構成とすることができる。さらに、前記座板の略中央には、位置決めに利用される貫通穴が穿孔されている構成であってもよい。
【００１３】
また、前記構造物の本体と前記防水処理層との間には軟質層が介在されており、前記押込み側支持材及び引抜き側支持材の先端が前記本体に埋設される構成であってもよい。
【００１４】
さらに、本発明の支持アンカーは、円板状のベース板と、前記ベース板の上面の中央に下端面が接合されるボルト材と、前記ベース板の下面側に配置される押込み側支持材と、前記ベース板の穴に挿通されて頭部が上面側に引っ掛かる形状の引抜き側支持材とを備えたことを特徴とする。
【００１５】
ここで、前記ベース板の下に介在させる中央に貫通穴が穿孔された座板を備えるとともに、前記座板には前記貫通穴に対して対称となる位置に前記押込み側支持材を挿通させる対となる第１穴と前記引抜き側支持材を挿通させる対となる第２穴とがそれぞれ穿孔され、第１穴と第２穴は前記貫通穴の周りに交互に配置されている構成とすることができる。
【発明の効果】
【００１６】
このように構成された本発明の防水支持構造は、ベース板の下面側に押込み側支持材を備えるとともに、ベース板の上面側に頭部が引っ掛かる引抜き側支持材を備えている。そして、ベース板の上面側及び周囲が遮水シート材によって覆われる。
【００１７】
このため、押込む方向の力と引抜く方向の力の両方向の力に対して抵抗させることができる。また、ベース板の表面及び周囲が遮水シート材によって覆われるため、既存の防水処理層が有していた防水性能を低下させることがない。また、ベース板を合成樹脂材で被覆することによって、ベース板の腐食を防ぐことができる。
【００１８】
さらに、ベース板と防水処理層との間に介在させる座板に押込み側支持材及び引抜き側支持材を挿通させる穴が穿孔されていれば、設定された間隔で押込み側支持材及び引抜き側支持材を打ち込むことができる。また、その座板に位置決めに利用される貫通穴が穿孔されていれば、正確な位置に被支持物を設置することができるようになる。
【００１９】
また、構造物の本体と防水処理層との間に断熱材などの軟質層が介在されていても、押込み側支持材の先端が本体に埋設されていれば防水処理層の表面を沈み込ませることがない。
【図面の簡単な説明】
【００２０】
【図１】本発明の実施の形態の防水支持構造によって太陽光発電装置を支持させた状態を示した説明図である。
【図２】本発明の実施の形態の支持アンカーの構成を示した説明図である。
【図３】支持アンカーを構成する接続金具を説明する図であって、（ａ）は平面図、（ｂ）は側面図である。
【図４】座板の構成を説明する図であって、（ａ）は平面図、（ｂ）は穴の周辺を拡大して示した説明図である。
【図５】防水支持構造の設置状態を示した斜視図である。
【図６】防水支持構造によって手摺を支持させた状態を示した説明図である。
【発明を実施するための形態】
【００２１】
以下、本発明の実施の形態について図面を参照して説明する。本実施の形態の防水支持構造は、上面が防水処理層で覆われた構造物上に被支持物を設置する際に設けられる。
【００２２】
まず、上面が防水処理層としての防水シート１１で覆われた構造物としての屋根１に適用する場合について説明する。ここで、被支持物は、太陽光発電装置６とする。
【００２３】
この屋根１は、天井梁１４，１４及び鉄骨梁１５上に架け渡された構造板１２を本体とする。この構造板１２は、例えば鉄筋１２ａと軽量コンクリート１２ｂとによって製作された軽量気泡コンクリート板などによって形成される。
【００２４】
この構造板１２の上には、断熱材などが敷き詰められて断熱層１３が形成される。断熱材は構造板１２に比べて変形しやすい材料であるため、断熱層１３は軟質層といえる。そして、断熱層１３の表面には、防水シート１１が敷設される。
【００２５】
一方、太陽光発電装置６の太陽光パネル６１は、前脚６１ａと後脚６１ｂとを介して架台６２の上に設置される。ここで、後脚６１ｂは前脚６１ａよりも長く、太陽光パネル６１は斜めに設置される。
【００２６】
そして、架台６２を支える桁材６２ａを本実施の形態の防水支持構造を構成する支持アンカー２０に接続させる。図２は、支持アンカー２０の構成を示した断面図である。
【００２７】
この支持アンカー２０は、ベース板２１と接続材としてのボルト材２２とを有する接続金具２と、押込み側支持材としての第１ビス３１と、引抜き側支持材としての第２ビス３２と、ベース板２１の下に配置される座板４とによって主に構成される。そして、この支持アンカー２０を遮水シート材としての補強シート５で覆った構造が防水支持構造となる。
【００２８】
接続金具２は、図３に示すように、円板状に成形された鋼板製のベース板２１の上面の略中央に、ボルト材２２の下端面を溶接によって接合させることで製作することができる。
【００２９】
このボルト材２２は、支持させたい荷重の大きさや取り付け作業のしやすさなどを考慮して、任意の直径及び長さにすることができる。また、ベース板２１には、ボルト材２２に対して点対称となる位置に、一対のビス穴２１ａ，２１ａを穿孔する。
【００３０】
このビス穴２１ａは、第２ビス３２を挿通させる穴である。すなわちビス穴２１ａには、図２に示すように第２ビス３２を挿入し、第２ビス３２の頭部３２ａを図３に示す鍔部２１ｂに引っ掛ける。このような構成にすることで、第２ビス３２によってベース板２１の上方への移動を阻止することができる。
【００３１】
この接続金具２のベース板２１は、図３（ｂ）に二点鎖線で示すように被覆層２３によって被覆される。この被覆層２３は、塩化ビニルなどの合成樹脂材をベース板２１の全面に所定の厚さで付着させることによって形成される。
【００３２】
このベース板２１の下面側に配置される座板４は、図２，４に示すように、鋼板によってベース板２１と略同じ直径の円板状に成形される。この座板４の略中央には、位置決めに利用される貫通穴４３が穿孔される。この貫通穴４３を通して防水シート１１上に位置決めのために記された目印を確認することができる。
【００３３】
そして、座板４には、貫通穴４３に対して点対称となる位置に、一対の第１穴４１，４１と一対の第２穴４２，４２とをそれぞれ穿孔する。ここで、第１穴４１は、第１ビス３１を挿通させる穴である。
【００３４】
第１穴４１には、図４（ｂ）に示すように第１ビス３１を挿入し、第１ビス３１の頭部３１ａを鍔部４１ａに引っ掛ける。また、第１穴４１，４１どうしを結ぶ線に略直交する貫通穴４３を通る線上に、第２穴４２，４２を設ける（図４（ａ）参照）。
【００３５】
すなわち、第１穴４１，４１どうしを結ぶ線と第２穴４２，４２どうしを結ぶ線とは直交し、貫通穴４３の中心が交点となる。そして、貫通穴４３の周り（周方向）には第１穴４１と第２穴４２とが交互に配置されることになる。
【００３６】
さらに、第２穴４２，４２は、座板４上にベース板２１を重ねた際に、ビス穴２１ａ，２１ａに投影される位置に設けられる。要するに、第２ビス３２は、ビス穴２１ａを通過後、第２穴４２を通って屋根１に打ち込まれる。
【００３７】
ここで、図２に示すように、座板４の周縁は中央に比べて下方に折れ曲がった形状に成形されている。このような形状にすることで、座板４の周縁を防水シート１１の上面に密着ささせることができる。
【００３８】
この座板４の第１穴４１を通して屋根１に打ち込まれる第１ビス３１は、図２に示すように先端が構造板１２の内部に埋設される長さに形成される。すなわち、第１ビス３１の長さは、断熱層１３の厚さに、必要な支持力が充分に確保できるだけの構造板１２への埋設長さを加えた長さ以上とする。
【００３９】
また、第１ビス３１の頭部３１ａの上端面は、図２及び図４（ｂ）に示すように、ベース板２１の下面を安定して載せられるように、平坦面に成形される。例えば、図４（ｂ）に示すように、第１ビス３１の上端面と座板４の上面とは、平ら（略面一）となるように調整する。
【００４０】
一方、第２ビス３２には、第１ビス３１と略同じ長さのものを使用することができる。また、第２ビス３２の頭部３２ａの上端面は、ベース板２１の上面と平ら（略面一）となるように平坦面に成形される。
【００４１】
このベース板２１と第２ビス３２の上端面は、図２，５に示すように補強シート５によって覆われる。補強シート５は、防水シート１１と同質の遮水シート材によって円形に成形することができる。また、補強シート５の中央には、ボルト材２２を挿通させるための穴５１を穿孔する。
【００４２】
補強シート５の直径は、例えばベース板２１の直径の約２倍にする。図２，５に示すように、ベース板２１の外縁からはみ出した補強シート５の円環状の縁部は、防水シート１１の上に重ねられる。そして、防水シート１１の上面と補強シート５の下面とは、熱融着、溶剤溶着、接着剤などによって接合される。
【００４３】
次に、本実施の形態の防水支持構造を使用して太陽光発電装置６を設置する方法について説明する。
【００４４】
まず、防水シート１１が敷設された屋根１の上面に支持アンカー２０を設置する位置の墨出しを行う。この墨出しによる位置決めでは、直交する縦線と横線とが防水シート１１上に付けられる。
【００４５】
そこで、この縦線と横線の交点が貫通穴４３の中心と一致するように座板４を設置する。そして、座板４の第１穴４１，４１から第１ビス３１，３１を捩じ込む。
【００４６】
第１ビス３１，３１は、防水シート１１を突き抜けた後に断熱層１３を通って、先端が構造板１２の内部に打ち込まれる。この打ち込みは、図４（ｂ）に示すように、第１ビス３１の上端面が座板４の上面とほぼ平らになる位置まで行われる。
【００４７】
続いて、座板４の上に接続金具２を載せる。そして、ベース板２１のビス穴２１ａ，２１ａの位置と座板４の第２穴４２，４２の位置とがそれぞれ重なるように位置合わせを行う。
【００４８】
さらに、ベース板２１のビス穴２１ａ，２１ａから第２ビス３２，３２を捩じ込む。第２ビス３２，３２は、座板４の第２穴４２，４２を通って防水シート１１を突き抜けた後に、断熱層１３を通って構造板１２まで打ち込まれる。この打ち込みは、図２に示すように、第２ビス３２の上端面がベース板２１の上面とほぼ平らになる位置まで行われる。
【００４９】
続いて、補強シート５の穴５１にボルト材２２を通して、補強シート５をベース板２１に被せる。補強シート５とベース板２１の被覆層２３の上面とは熱融着によって接合させる。また、補強シート５の縁部が防水シート１１上に重ねられる箇所も、熱融着による接合を行う。
【００５０】
そして、図１に示すように、支持アンカー２０のボルト材２２の所定の位置に第１のナット２２ａを装着し、その上から桁材６２ａを下ろして桁材６２ａの穴（図示省略）にボルト材２２を通す。さらにその上から第２のナット２２ｂをボルト材２２に装着して、所定のトルクで第２のナット２２ｂを締め付ける。
【００５１】
このようにして屋根１に固定された桁材６２ａに対して、架台６２、太陽光パネル６１などを順次、設置する。なお、図１には図示していないが、支持アンカー２０及び桁材６２ａは、架台６２の軸方向などに間隔を置いて複数が設置されている。
【００５２】
以上においては、太陽光発電装置６が被支持物となる場合について説明したが、以下では図６を参照しながら、構造物としてのバルコニー７に被支持物としての手摺８を設置する場合について説明する。
【００５３】
このバルコニー７は、軽量気泡コンクリート板などによって形成された構造板７２を本体とする。そして、この構造板７２の上には、上面が傾斜面（水勾配）となるように成形された勾配層７３が積層される。
【００５４】
この勾配層７３は、加工しやすいようにウレタンフォームなどで成形されているため構造板７２に比べて変形しやすい。このため勾配層７３は、軟質層といえる。そして、勾配層７３の表面には、防水シート７１が敷設される。
【００５５】
このように防水シート７１で覆われたバルコニー７の上面に、支持アンカー２０を設置する。支持アンカー２０の構成及び設置方法については、上述した屋根１の場合と同様のため、詳細な説明は省略する。
【００５６】
そして、第１のナット２２ａが装着されたボルト材２２に対して床フレーム８１を取り付ける。床フレーム８１と接続した後に第２のナット２２ｂをボルト材２２に装着して締結を行う。
【００５７】
なお、床フレーム８１上の枠体８２及び化粧パネル８３は、予め取り付けられていてもよいし、床フレーム８１を支持アンカー２０によってバルコニー７に固定した後に、順次、設置していってもよい。
【００５８】
次に、本実施の形態の防水支持構造及び支持アンカー２０の作用について説明する。
【００５９】
このように構成された本実施の形態の防水支持構造は、ベース板２１の下面側に第１ビス３１を備えるとともに、ベース板２１の上面側に頭部３２ａが引っ掛かる第２ビス３２を備えている。そして、ベース板２１の上面側及び周囲が補強シート５によって覆われる。
【００６０】
このため、押込む方向の力と引抜く方向の力の両方向の力に対して抵抗させることができる。すなわち、太陽光発電装置６や手摺８の重量（下向きの力）は、ボルト材２２とベース板２１を通って第１ビス３１，３１の頭部３１ａ，３１ａに伝達される。この第１ビス３１，３１は、構造板１２（７２）に先端が埋設されているため、ベース板２１が下がることはなく、防水シート１１の表面も沈み込むことがない。
【００６１】
これに対して、風を受けたり地震が起きたりして、太陽光発電装置６や手摺８が横方向の力を受けたり揺れたりすると、ボルト材２２に上向きの力が作用することになる。
【００６２】
このボルト材２２に作用した上向きの力は、ベース板２１にも伝達されることになるが、ベース板２１が浮き上がろうとすると、第２ビス３２，３２の頭部３２ａ，３２ａが引っ掛かって移動が阻止されることになる。
【００６３】
このように本実施の形態の支持アンカー２０であれば、ベース板２１の下方に打ち込まれた第１ビス３１，３１と頭部３２ａ，３２ａが上面側に引っ掛けられた第２ビス３２，３２とによって、上下の両方向の力に対して抵抗させることができる。
【００６４】
また、ベース板２１の上面側及び周囲が補強シート５によって覆われるため、既存の防水シート１１が有していた防水性能を低下させることがない。さらに、ベース板２１を合成樹脂材で被覆する被覆層２３を設けることによって、ベース板２１の腐食を防ぐことができる。
【００６５】
また、ベース板２１と防水シート１１との間に介在させる座板４に第１ビス３１及び第２ビス３２を挿通させる穴（４１，４２）が穿孔されていれば、設定された間隔で第１ビス３１及び第２ビス３２を打ち込むことができる。
【００６６】
例えば、対称となるように第１ビス３１，３１と第２ビス３２，３２とがそれぞれ打ち込まれていれば、ベース板２１が受ける反力の作用位置もバランスよく分散されて、集中応力の発生を抑えることができる。
【００６７】
また、座板４に位置決めに利用される貫通穴４３が穿孔されていれば、正確な位置に太陽光発電装置６や手摺８を設置することができるようになる。
【００６８】
さらに、構造板１２，７２と防水シート１１，７１との間に断熱材などの軟質層（１３，７３）が介在されていても、押込む方向の力に対して抵抗可能な第１ビス３１，３１の先端が構造板１２，７２に埋設されていれば、防水シート１１，７１の表面を沈み込ませることがない。
【００６９】
以上、図面を参照して、本発明の実施の形態を詳述してきたが、具体的な構成は、この実施の形態に限らず、本発明の要旨を逸脱しない程度の設計的変更は、本発明に含まれる。
【００７０】
例えば、前記実施の形態では、上面が防水シート１１，７１で覆われた構造物について説明したが、これに限定されるものではなく、防水性塗料を塗布した防水塗膜やアスファルトルーフィングなどが防水処理層であってもよい。
【００７１】
また、前記実施の形態では、構造板１２，７２と防水シート１１，７１との間に断熱層１３や勾配層７３などが介在される場合について説明したが、これに限定されるものではなく、軟質層が介在されていなくても防水シート１１，７１自体が厚くて柔軟な材料で、荷重をかけると窪んでしまうような場合にも本発明の支持構造を適用することができる。
【００７２】
さらに、前記実施の形態では、第１ビス３１，３１と第２ビス３２，３２を１対ずつ使用する場合について説明したが、これに限定されるものではなく、２対以上使用することもできる。また、押込み側支持材と引抜き側支持材の数や形状を一致させる必要はなく、作用する力の大きさに応じて任意に設定することができる。
【００７３】
そして、前記実施の形態では、支持材（３１，３２）としてビスを使用する場合について説明したが、これに限定されるものではなく、釘、又はビス以外のネジ材などであってもよい。また、支持材の頭部（３１ａ，３２ａ）についても必要な機能に合わせて任意の形状に変形させることができる。例えば、押込み側支持材の頭部を拡幅してベース板２１との接触面積を大きくすることができる。このようにすることで、応力が分散されるうえにベース板２１の安定性を向上させることができる。
【００７４】
さらに、前記実施の形態では、ベース板２１と防水シート１１との間に座板４を介在させたが、これに限定されるものではなく、座板４を省略してベース板２１を直接、防水シート１１上に設置する構成であってもよい。
【００７５】
また、前記実施の形態では、接続材としてボルト材２２を例に説明したが、これに限定されるものではなく、被支持物とベース板２１とを接続させて力を伝達させることができる構成であればどのような形態であってもよい。
【符号の説明】
【００７６】
１            屋根（構造物）
１１          防水シート（防水処理層）
１２          構造板（本体）
１３          断熱層（軟質層）
２０          支持アンカー
２            接続金具
２１          ベース板
２１ａ        ビス穴（穴）
２２          ボルト材（接続材）
２３          被覆層
３１          第１ビス（押込み側支持材）
３１ａ        頭部
３２          第２ビス（引抜き側支持材）
３２ａ        頭部
４            座板
４１          第１穴
４２          第２穴
４３          貫通穴
５            補強シート（遮水シート材）
６            太陽光発電装置（被支持物）
７            バルコニー（構造物）
７１          防水シート（防水処理層）
７２          構造板（本体）
７３          勾配層（軟質層）
８            手摺（被支持物）
【図１】
2014152548.tif 000003
【図２】
2014152548.tif 000004
【図３】
2014152548.tif 000005
【図４】
2014152548.tif 000006
【図５】
2014152548.tif 000007
【図６】
2014152548.tif 000008